【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
海底又は川底に設置することが必要とされている支持構体（１）を設置する方法において、前記支持構体を海底又は川底に永久的に定着するために必要とされる作業を行う前に及びこれらの作業の間中に、前記支持構体を海底又は川底上に一時的に自己直立することができるように建造することを包含する方法。
【請求項２】
請求項１記載の方法において、前記支持構体が、水沈可能な水駆動タービン及び風駆動タービンの少なくとも一方を支持するための細長い支柱（２）の形である方法。
【請求項３】
請求項１又は２記載の方法において、パイル又は同種のアンカー手段（２３）により前記支持構体（１）を海底又は川底に定着する段階を包含している方法。
【請求項４】
請求項３記載の方法において、前記支持構体（１）が複数の支持構体用支持脚ユニット（５）と協働する複数のアンカー位置（４）を包含し、前記支持脚ユニット（５）の各々が支持構体用アンカーパイル又は同種の手段（２３）を受け入れて設置するようにし、前記アンカーパイル又は同種の手段（２３）が、前記支持構体（１）により支持されて前記アンカーパイル又は同種の手段（２３）を取り扱って水沈することができる手段により、海底又は川底上に水沈されるようにした方法。
【請求項５】
請求４記載の方法において、前記支持脚ユニット（５）の各々が、前記支持構体（１）を海底又は川底（ＳＢ）に関して要求した高さレベル及び方位にセットすることができるように、海底又は川底（ＳＢ）に関して位置が調節可能である方法。
【請求項６】
請求項５記載の方法において、前記支持構体（１）は、海底又は川底（ＳＢ）に下降させて、関連する前記アンカーパイル（２３）の水沈前に、各独立する海底又は川底係合脚（７）の位置を調節することによって海底又は川底（ＳＢ）の平坦でない形状に適合させる調節手段（７,１６）によりレべリングすることができるように、設計されている方法。
【請求項７】
請求項５又は６記載の方法において、各独立する前記アンカーパイル（２３）が海底又は川底（ＳＢ）中に挿入されている位置に、各独立する前記アンカーパイル（２３）をセメント状用材のグラウトで固定する段階を包含する方法。
【請求項８】
請求項４〜７のいずれか一項に記載の方法において、一時的な構体（１２）を前記支持構体（１）の頂部に設ける段階を包含し、前記一時的な構体（１２）で前記アンカーパイル（２３）を水沈するために必要とされる作業が行われるようにした方法。
【請求項９】
請求項１記載の方法において、設置作業中における海底又は川底（ＳＢ）との摩擦接触が不十分で前記支持構体（１）が水流、波又は風によって動かされる可能性がある場合に、その設置の期間中に設置を維持するために、追加のおもりを前記支持構体（１）に追加する段階を包含する方法。
【請求項１０】
請求項９記載の方法において、前記アンカーパイル（２３）を定着した後に、前記支持構体（１）の設置のために取り付けられた装置と一緒に前記追加のおもりを取り除く段階を包含し、これにより前記支持構体がもはや海底又は川底（ＳＢ）に関して動くことができないようにした方法。
【請求項１１】
海底又は川底（ＳＢ）に設置することができる支持構体（１）において、支持構体（１）を海底又は川底（ＳＢ）との摩擦接触によって適所に保持するのに十分な重さにより海底又は川底（ＳＢ）上に一時的に自己起立するのに十分な重さであるように構成され、また複数の位置調節可能な海底又は川底係合支持脚ユニット（５）と協働する複数のアンカー位置（４）を包含し、前記支持脚ユニット（５）の各々が支持構体用アンカーパイル（２３）を受け入れて設置するようにし、前記アンカーパイル（２３）が、前記支持構体により支持されて前記アンカーパイル（２３）を取り扱って水沈せしめる手段によって、海底又は川底（ＳＢ）上に水沈させられることを特徴とする支持構体。
【請求項１２】
請求項１１記載の支持構体（１）において、水沈可能なタービンを支持するための細長い支柱（２）の形であることを特徴とする支持構体。
【請求項１３】
請求項１１又は１２記載の支持構体（１）において、前記支持構体（１）の頂部に設けられた一時的な追加の構体（１２）を包含し、前記パイル（２３）を水沈させるのに必要とされる作業を行う設備が前記一時的な追加の構体（１２）に設けられていることを特徴とする支持構体。
【請求項１４】
請求項１３記載の支持構体（１）において、前記一時的な構体（１２）が追加のおもりを担持することができるような構成とされ、これにより、設置中における前記支持構体（１）が水流、波又は風によって動かされる可能性がある場合には、設置作業中における海底又は川底（ＳＢ）との十分な摩擦を維持するために、適当な追加のおもりを前記一時的な構体（１２）に追加して、前記支持構体の海底又は川底（ＳＢ）との許容摩擦を維持できるようにしたことを特徴とする支持構体。
【請求項１５】
請求項１１記載の支持構体（１）において、一時的なフーチング（７,１６）を包含し、前記一時的なフーチング（７,１６）が、前記支持構体（１）を海底又は川底（ＳＢ）に固定する前に前記支持構体（１）をレべリングすることができるように高さ及び位置合わせを調節することができ、このような調節を行うための力が液圧ジャッキ，スクリュージャッキ又は任意の他の同種の手段により与えられることを特徴とする支持構体。
【手続補正２】
【補正対象書類名】明細書
【補正対象項目名】００３４
【補正方法】変更
【補正の内容】
【００３４】
図１を参照するに、図１に示されている支持構体１はジャケット構体２から成る。ジャケット構体２は支持脚アセンブリ４により支持されている、直立した一本の支柱のような主本体３を包含する。支持脚アセンブリ４は、主本体（支柱）３のまわりに等角で配設されている４つの同一の支持脚ユニット５により形成されている。支持脚ユニット５の各々は、内側管５Ａと外側管５Ｂ（これらについては後で詳細に説明する）とにより形成されている中央の管状構体６と、外側管５Ｂに接続されている海底又は川底係合脚７とを包含する。外側管５Ｂは、支持脚アセンブリ４の一部分、すなわち、構体２の主本体３の下方端区域９に接続している、ほぼ水平な部材８と、関連する水平部材８よりも上方の位置で構体２の主本体３に接続している傾斜部材１０とにより構体２の主本体３にそれ自体接続されている、支持脚アセンブリ４の一部分を形成する。
【手続補正３】
【補正対象書類名】明細書
【補正対象項目名】００６５
【補正方法】変更
【補正の内容】
【００６５】
この段階で、調節可能な係合脚７は現場に放置されて残されるか又はこれらの係合脚７を再使用のために取り外す作業を行うことができる。最後に、一時的な上部構体１２、クレーン１３、クレーン１３に関連する装置、コンダクタ管１５及び任意の他のツールを、穴あけ中に安定のために加えられたバラスト１４と一緒に、クレーンを備えている船により取り除くことができる。ジャケット構体２の全体を所定の位置に設置するのに必要とされる船よりも小さくてかつコストの低い船を、この目的のために用いることができる。この第２の船は、また、設置の完成のために必要とされている他の装置、例えば風力又は潮流タービンを表面ハウジング又はデッキの上に備えることができる。代替的に、もしジャケット構体２の全体が水中に沈められることが必要とされる場合には、取り外し可能な上方部分をこの段階で取り外しするか、又は特殊化した装置と置換することができる。